(57)【特許請求の範囲】
【請求項１】
互いに異なる光学材料から成るとともに屈折作用によるパワーが正と負の２枚のレンズで構成された接合レンズを有するレンズ光学系であって、
前記接合レンズが、前記２枚のレンズの密着面にレリーフパターンで構成された回折格子を有し、前記２枚のレンズの空気と接するレンズ面の曲率半径が、いずれも前記密着面の曲率半径とは異なり、前記接合レンズが以下の条件式を満足することを特徴とするレンズ光学系；
0.1≦(φp／νd)／(φDOE／νDOE)≦35
ただし、
φp：密着している正と負の２枚のレンズのうち、屈折作用によるパワーが回折作用によるパワーとは逆の符号のレンズの屈折作用によるパワー(ただし、φpは回折作用によるパワーを含まない。)、
νd：密着している正と負の２枚のレンズのうち、屈折作用によるパワーが回折作用によるパワーとは逆の符号のレンズを構成している光学材料のアッベ数、
φDOE：密着面のレリーフパターンで発生する回折作用によるパワー、
νDOE：密着面のレリーフパターンで発生する回折作用によるアッベ数相当値、
である。
【請求項２】
互いに異なる光学材料から成るとともに屈折作用によるパワーが正と負の２枚のレンズで構成された接合レンズを有するレンズ光学系であって、
前記接合レンズが、前記２枚のレンズの密着面にレリーフパターンで構成された回折格子を有し、前記２枚のレンズの空気と接するレンズ面の曲率半径が、いずれも前記密着面の曲率半径とは異なり、前記接合レンズが以下の条件式を満足することを特徴とするレンズ光学系；
0.04≦tp／tg≦5
ただし、
tp：密着している正と負の２枚のレンズのうち、屈折作用によるパワーが回折作用によるパワーと逆の符号のレンズの軸上面間隔、
tg：密着している正と負の２枚のレンズのうち、屈折作用によるパワーが回折作用によるパワーと同じ符号のレンズの軸上面間隔、
である。
【発明の詳細な説明】
【０００１】
【発明の属する技術分野】
本発明は、レンズ光学系に関するものであり、更に詳しくは、回折格子を有する接合レンズを用いたレンズ光学系に関するものである。
【０００２】
【従来の技術】
回折格子による集光作用を有するレンズ(以下「回折レンズ」という。)には、従来より知られている屈折レンズには無い有用な特長がある。例えば以下のような特長が知られている。
・通常の屈折レンズの表面に回折レンズを付けることができるため、一つのレンズに回折作用と屈折作用の両方を持たせることができる。
・屈折レンズでいう分散特性に相当する量が、回折レンズでは逆の値を持つため、回折レンズで色収差を効果的に補正することができる。
【０００３】
したがって、正・負２枚の屈折レンズの組み合わせで行っていた色収差補正を、屈折レンズの表面に回折レンズを付けることにより、１枚のレンズで行うことが可能である。回折レンズには、従来の屈折レンズには無い上記のような有用な特長がある反面、回折格子の回折効率が波長に依存するため問題もある。例えば、設計波長以外では設計次数以外の回折光の発生が顕著となるため、これにより発生するゴーストが像性能劣化の原因となる。特に使用波長域が広い白色光で使用する光学系では、これが大きな問題となる。
【０００４】
この問題を解決することを目的とした回折光学素子が、特開平9-127321号公報とSteven M. Ebstein(1996.9.15 OPTICAL SOCIETY OF AMERICA)で提案されている。これらの回折光学素子は、互いに異なる光学材料の境界面に回折格子のレリーフパターンが形成された構成をとっている。そして、２材料の屈折率差が波長に依存することを利用して波長による位相差の変化を防ぐことにより、広い波長域で回折効率を高くすることを可能にしている。
【０００５】
【発明が解決しようとする課題】
しかし、そのような回折格子の実現には以下のような制約がある。
▲１▼：回折効率を高くするために、材料の組み合わせを、相対的に屈折率が高く分散が小さな材料と、屈折率が低く分散が大きな材料と、の組み合わせにする必要がある。
▲２▼：ブレーズ頂角をできるだけ大きくする必要がある。回折格子のブレーズ形状を成形により作製する場合、回折格子高さと回折格子間隔とで決まるブレーズ頂角が大きいほど、材料がブレーズ頂角の先端まで充填されやすくなる。したがって、ブレーズ頂角が大きいほど、ブレーズ形状の転写性が良好になる。試作試験によれば、ブレーズ頂角は７０°程度あれば転写性が良好であった。
【０００６】
ブレーズ形状を表す図１１に基づいて、上記制約▲２▼を更に詳しく説明する。図１１において、Θはブレーズ頂角、h0は回折格子高さ、dは回折格子間隔である。設計波長λ0での入射側，射出側の光学材料の屈折率をそれぞれn0，n'0とすると、回折格子高さh0は式：h0＝λ0／(n0−n'0)で表される。
【０００７】
回折格子間隔(d)は回折作用の強さを表し、回折格子間隔(d)が小さいほど回折作用は強くなる。回折レンズについて考えた場合、回折格子間隔(d)が小さいことは回折作用によるパワーが強いことを意味する。したがって、分散が大きな硝種から成るレンズ又はパワーが大きなレンズの色収差を回折レンズで補正する場合には、回折作用によるパワーを強くする必要がある。また回折レンズでは、レンズの周辺に行くほど回折作用を強くする必要があるので、レンズの有効径が大きいほどレンズ周辺部での回折格子間隔(d)を小さくする必要がある。
【０００８】
また、ブレーズ頂角(Θ)が大きいほど、材料がブレーズ頂角の先端まで充填されやすくなるため、ブレーズ形状の転写性は良好になる。回折格子高さ(h0)が低いほど、また、回折格子間隔(d)が大きいほど、ブレーズ頂角(Θ)を大きくすることができる。しかし、前述の制約▲１▼があるために、実現可能な回折格子高さ(h0)は６〜１７μｍ程度に高くなってしまう。したがって、回折レンズのみで色収差補正を行った場合には、回折作用によるパワーを強くする必要から回折格子間隔(d)は小さなものになってしまい、ブレーズ頂角(Θ)も小さくなってしまうため、ブレーズ形状の転写性は悪化することになる。
【０００９】
次に、回折レンズによる色収差補正について考える。一般的に、色収差補正はＦ線の波長の結像位置とＣ線の波長の結像位置とを一致させることで行う。しかし、その場合、Ｆ線の波長の結像位置とｄ線の波長の結像位置、及びｄ線の波長の結像位置とＣ線の波長の結像位置は、ズレを発生することになる。これを２次の色スペクトルと呼んでいる。回折レンズにより色収差を補正した場合、屈折レンズを用いた正・負２枚構成により色収差を補正した場合に比べて、２次の色スペクトルは大きくなる傾向がある。したがって、２次の色スペクトルも合わせて考えると、回折レンズによる色収差補正と、屈折レンズを用いた正・負２枚構成による色収差補正と、を組み合わせて用いることが望ましいといえる。
【００１０】
本発明は、このような状況に鑑みてなされたものであって、広い波長域で回折効率を高くする回折レンズを効果的に用いて、色収差を良好に補正したレンズ光学系を提供することを目的とする。
【００１１】
【課題を解決するための手段】
上記目的を達成するために、第１の発明のレンズ光学系は、互いに異なる光学材料から成るとともに屈折作用によるパワーが正と負の２枚のレンズで構成された接合レンズを有するレンズ光学系であって、前記接合レンズが、前記２枚のレンズの密着面にレリーフパターンで構成された回折格子を有し、前記２枚のレンズの空気と接するレンズ面の曲率半径が、いずれも前記密着面の曲率半径とは異なり、前記接合レンズが以下の条件式を満足することを特徴とする。
0.1≦(φp／νd)／(φDOE／νDOE)≦35
ただし、
φp：密着している正と負の２枚のレンズのうち、屈折作用によるパワーが回折作用によるパワーとは逆の符号のレンズの屈折作用によるパワー(ただし、φpは回折作用によるパワーを含まない。)、
νd：密着している正と負の２枚のレンズのうち、屈折作用によるパワーが回折作用によるパワーとは逆の符号のレンズを構成している光学材料のアッベ数、
φDOE：密着面のレリーフパターンで発生する回折作用によるパワー、
νDOE：密着面のレリーフパターンで発生する回折作用によるアッベ数相当値、
である。
【００１２】
第２の発明のレンズ光学系は、互いに異なる光学材料から成るとともに屈折作用によるパワーが正と負の２枚のレンズで構成された接合レンズを有するレンズ光学系であって、前記接合レンズが、前記２枚のレンズの密着面にレリーフパターンで構成された回折格子を有し、前記２枚のレンズの空気と接するレンズ面の曲率半径が、いずれも前記密着面の曲率半径とは異なり、前記接合レンズが以下の条件式を満足することを特徴とする。
0.04≦tp／tg≦5
ただし、
tp：密着している正と負の２枚のレンズのうち、屈折作用によるパワーが回折作用によるパワーと逆の符号のレンズの軸上面間隔、
tg：密着している正と負の２枚のレンズのうち、屈折作用によるパワーが回折作用によるパワーと同じ符号のレンズの軸上面間隔、
である。
【００１４】
【発明の実施の形態】
以下、本発明を実施したレンズ光学系を、図面を参照しつつ説明する。図１〜図４は、第１〜第４の実施の形態のレンズ光学系にそれぞれ対応するレンズ構成図である。第１〜第３の実施の形態はズームレンズ、第４の実施の形態は単焦点レンズであり、第１〜第３の実施の形態(図１〜図３)については、広角端[Ｗ]，ミドル(中間焦点距離状態)[Ｍ]及び望遠端[Ｔ]でのレンズ配置を示している。
【００１５】
各レンズ構成図中の矢印mj(j=1,2,3)は、ズーミングにおける第j群(Gri)の移動をそれぞれ模式的に示しており、di(i=1,2,3,...)が付された軸上面間隔は、物体側から数えてi番目の軸上面間隔のうち、ズーミングにおいて変化する可変間隔を示している。また、各レンズ構成図中、ri(i=1,2,3,...)が付された面は物体側から数えてi番目の面{ただし最終面は像面(I)}であり、riに*印が付された面は非球面、riに#印が付された面は回折格子のレリーフパターンが形成された回折面である。回折格子を有する接合レンズについては、接合レンズを構成している回折レンズに「DOE」を付し、回折レンズと逆の符号のパワーを有する屈折レンズに「p」を付し、回折レンズと同じ符号のパワーを有する屈折レンズに「g」を付して示す。
【００１６】
第１の実施の形態(図１)は、レンズ(L1)及び接合レンズ(L2)から成る第１群(Gr1)と、レンズ(L3)及び接合レンズ(L4)から成る第２群(Gr2)と、絞り(S)，接合レンズ(L5)及びレンズ(L6)から成る第３群(Gr3)と、ローパスフィルター(LPF)と、で構成されている。第２の実施の形態(図２)は、接合レンズ(L1)から成る第１群(Gr1)と、レンズ(L2)及び接合レンズ(L3)から成る第２群(Gr2)と、絞り(S)及び２枚のレンズ(L4,L5)から成る第３群(Gr3)と、ローパスフィルター(LPF)と、で構成されている。第３の実施の形態(図３)は、レンズ(L1)及び接合レンズ(L2)から成る第１群(Gr1)と、絞り(S)及び接合レンズ(L3)から成る第２群(Gr2)と、ローパスフィルター(LPF)と、で構成されている。第４の実施の形態(図３)は、絞り(S)と、レンズ(L1)と、接合レンズ(L2)と、ローパスフィルター(LPF)と、で構成されている。
【００１７】
上記のように第１〜第４の実施の形態は、互いに異なる光学材料から成る２枚のレンズで構成された接合レンズを有するレンズ光学系であって、接合レンズが、２枚のレンズの密着面(すなわち境界面)にレリーフパターンで構成された回折格子を有している。そして、２枚のレンズの空気と接するレンズ面の曲率半径が、いずれも密着面の曲率半径とは異なっている。このように、広い波長域で回折効率を高くする回折レンズが効果的に用いられているため、色収差を良好に補正することができる。
【００１８】
第１〜第４の実施の形態のように、互いに異なる光学材料から成るとともに屈折作用によるパワーが正と負の２枚のレンズで構成された接合レンズを備えたレンズ光学系においては、２枚のレンズの密着面にレリーフパターンで構成された回折格子を有し、その接合レンズが以下の条件式(1)を満足することが望ましい。
0.1≦(φp／νd)／(φDOE／νDOE)≦35  …(1)
ただし、
φp：密着している正と負の２枚のレンズのうち、屈折作用によるパワーが回折作用によるパワーとは逆の符号のレンズの屈折作用によるパワー(ただし、φpは回折作用によるパワーを含まない。)、
νd：密着している正と負の２枚のレンズのうち、屈折作用によるパワーが回折作用によるパワーとは逆の符号のレンズを構成している光学材料のアッベ数、
φDOE：密着面のレリーフパターンで発生する回折作用によるパワー、
νDOE：密着面のレリーフパターンで発生する回折作用によるアッベ数相当値、
である。
【００１９】
条件式(1)を満足するように、回折レンズによる色収差補正と、屈折レンズを用いた正・負２枚構成による色収差補正と、を組み合わせて用いることにより、以下の(A)，(B)が可能なレンズ光学系を達成することができる。
(A)：回折作用を弱くすることができるため、回折格子間隔(d)が大きくなり、回折格子のブレーズ頂角(Θ)を７０°以上にすることが可能となる。
(B)：色収差及び２次の色スペクトルを良好にすることが可能となる。
【００２０】
条件式(1)の下限を超えた場合、回折レンズによる色収差補正の度合いが強くなるため、回折格子のブレーズ頂角が７０°を下回ることになる。又は、２次の色スペクトルが大きくなる等の不具合が発生することになる。条件式(1)の上限を超えた場合、接合レンズの一方の屈折レンズのパワーにより発生する色収差を、接合レンズの他方の屈折レンズの逆のパワーで発生する色収差で補正する度合いが強くなるため、両方の屈折レンズのパワー偏在が大きくなる。したがって、各レンズの面曲率半径が小さくなるため、そこでの収差発生量が増大することになる。結果として、発生した収差を補正するために、レンズ枚数を増やすことが必要となり、光学系のコスト及び大きさの点で不適当なものとなる。
【００２１】
第１〜第４の実施の形態のように、互いに異なる光学材料から成るとともに屈折作用によるパワーが正と負の２枚のレンズで構成された接合レンズを備えたレンズ光学系においては、２枚のレンズの密着面にレリーフパターンで構成された回折格子を有し、その接合レンズが以下の条件式(2)を満足することが望ましい。
0.04≦tp／tg≦5  …(2)
ただし、
tp：密着している正と負の２枚のレンズのうち、屈折作用によるパワーが回折作用によるパワーと逆の符号のレンズの軸上面間隔、
tg：密着している正と負の２枚のレンズのうち、屈折作用によるパワーが回折作用によるパワーと同じ符号のレンズの軸上面間隔、
である。
【００２２】
条件式(2)を満足するように、回折レンズによる色収差補正と、屈折レンズを用いた正・負２枚構成による色収差補正と、を組み合わせて用いることにより、前記(A)，(B)が可能なレンズ光学系を達成することができる。
【００２３】
条件式(2)の下限を決めるのは、軸上面間隔(tp)のレンズが負のパワーを有する場合であり、条件式(2)の下限を下回った場合は、レンズのパワーを得るために面曲率半径が小さくなる。それにより、面で発生する収差量が大きくなるため、不適当なものとなる。したがって、条件式(2)の下限を超える場合は、結果として発生した収差を補正するためにレンズ枚数を増やすことが必要となり、光学系のコスト及び大きさの点で不適当なものとなる。
【００２４】
条件式(2)の上限を決めるのは、軸上面間隔(tp)のレンズが正のパワーを有する場合であり、条件式(2)の上限を上回った場合は、レンズのパワーを得るために面曲率半径が小さくなる。それにより、面で発生する収差量が大きくなるため、不適当なものとなる。したがって、条件式(2)の上限を超える場合は、結果として発生した収差を補正するためにレンズ枚数を増やすことが必要となり、光学系のコスト及び大きさの点で不適当なものとなる。
【００２５】
【実施例】
以下、本発明を実施したレンズ光学系の構成を、コンストラクションデータ，収差図等を挙げて、更に具体的に説明する。なお、以下に挙げる実施例１〜４は、前述した第１〜第４の実施の形態にそれぞれ対応しており、第１〜第４の実施の形態を表すレンズ構成図(図１〜図４)は、対応する実施例１〜４のレンズ構成をそれぞれ示している。また、実施例１等に対応する比較例を、そのレンズ構成を示す図５と共に併せて示す。
【００２６】
各実施例のコンストラクションデータにおいて、ri(i=1,2,3,...)は物体側から数えてi番目の面の曲率半径、di(i=1,2,3,...)は物体側から数えてi番目の軸上面間隔を示しており、Ni(i=1,2,3,...),νi(i=1,2,3,...)は物体側から数えてi番目の光学要素のｄ線に対する屈折率(Nd),アッベ数(νd)を示している。また、コンストラクションデータ中、ズーミングにおいて変化する軸上面間隔(可変間隔)は、広角端(短焦点距離端)[Ｗ]〜ミドル(中間焦点距離状態)[Ｍ]〜望遠端(長焦点距離端)[Ｔ]での各群間の軸上空気間隔である。各焦点距離状態[Ｗ],[Ｍ],[Ｔ]に対応する全系の焦点距離ｆ，半画角ω及びＦナンバーFNOを併せて示す。
【００２７】
曲率半径riに*印が付された面は、非球面で構成された面であることを示し、非球面の面形状を表わす以下の式(AS)で定義されるものとする。また、曲率半径riに#印が付された面は、回折格子のレリーフパターンで構成された回折面であることを示し、回折面のピッチの位相形状を表す以下の式(DS)で定義されるものとする。各非球面の非球面データ及び各回折面の回折面データを他のデータと併せて示す。
【００２８】
Z(H)＝(C0・H2)／{1+√(1-C02・H2)}＋(A4・H4+A6・H6+A8・H8+A10・H10)  …(AS)
ただし、式(AS)中、
Z(H)：高さHの位置での光軸方向の変位量(面頂点基準)、
H   ：光軸に対して垂直な方向の高さ、
C0  ：近軸曲率、
Ai  ：i次の非球面係数、
である。
【００２９】
φ(H)＝(2π／λ0)・(C1・H2+C2・H4)  …(DS)
ただし、式(DS)中、
φ(H)：位相関数、
H    ：光軸に対して垂直な方向の高さ、
Ci   ：2i次の位相係数、
λ0  ：設計波長、
である。
【００３０】
0003858443.tif 000002
0003858443.tif 000003
【００３１】
[第１面(r1)の非球面データ]
A4= 2.93×10-6
A6= 1.3532×10-7
A8=-3.1×10-9
【００３２】
[第３面(r3)の非球面データ]
A4=-1.3×10-5
A6=-5.051×10-7
A8= 5.5×10-9
A10= 9.26×10-13
【００３３】
[第４面(r4)の非球面データ]
A4=-2.4×10-5
A6= 1.3231×10-7
A8= 6.85×10-9
A10=-2.4×10-11
【００３４】
[第５面(r5)の非球面データ]
A4= 6.22×10-6
A6=-3.554×10-7
A8= 2.02×10-9
A10=-6.2×10-12
【００３５】
[第６面(r6)の非球面データ]
A4= 0.000941
A6=-0.0001001
A8= 3.49×10-6
A10=-4.5×10-8
【００３６】
[第７面(r7)の非球面データ]
A4= 0.001073
A6=-0.0001082
A8= 9.64×10-7
A10=-9.9×10-8
【００３７】
[第８面(r8)の非球面データ]
A4=-0.00046
A6= 5.1001×10-5
A8=-3.9×10-6
A10=-1.4×10-8
【００３８】
[第９面(r9)の非球面データ]
A4=-0.00147
A6= 1.3879×10-5
A8= 1.99×10-6
A10=-7.5×10-9
【００３９】
[第１０面(r10)の非球面データ]
A4=-0.00094
A6= 3.4959×10-5
A8=-3×10-6
【００４０】
[第１２面(r12)の非球面データ]
A4=-0.00018
A6=-6.571×10-6
A8= 1.16×10-7
A10= 1.25×10-8
【００４１】
[第１３面(r13)の非球面データ]
A4= 0.000544
A6= 1.7189×10-5
A8=-9.4×10-7
A10=-1.3×10-8
【００４２】
[第１４面(r14)の非球面データ]
A4= 0.000763
A6=-4.062×10-5
A8=-9.6×10-7
A10=3.36×10-8
【００４３】
[第１５面(r15)の非球面データ]
A4= 0.000348
A6=-7.975×10-6
A8=-3.3×10-6
【００４４】
[第１６面(r16)の非球面データ]
A4= 0.001374
A6= 6.2198×10-5
A8= 1.73×10-6
【００４５】
[第４面(r4)の回折面データ]
C1=-0.00046
C2= 8.4405×10-7
【００４６】
[第９面(r9)の回折面データ]
C1= 0.002731
C2=-8.219×10-5
【００４７】
[第１３面(r13)の回折面データ]
C1=-0.00169
C2= 5.6339×10-5
【００４８】
0003858443.tif 000004
0003858443.tif 000005
【００４９】
[第１面(r1)の非球面データ]
A4=-1×10-5
A6= 8.7235×10-7
A8=-1.5×10-8
A10= 1.67×10-10
【００５０】
[第２面(r2)の非球面データ]
A4= 6.28×10-5
A6=-1.108×10-5
A8= 2.48×10-7
A10=-2.4×10-9
【００５１】
[第３面(r3)の非球面データ]
A4= 3.15×10-5
A6= 9.6774×10-7
A8=-1.9×10-8
A10= 2.77×10-10
【００５２】
[第４面(r4)の非球面データ]
A4= 0.000384
A6= 3.3912×10-5
A8=-1.5×10-6
A10= 1.75×10-8
【００５３】
[第５面(r5)の非球面データ]
A4=-0.002
A6= 2.0385×10-5
A8= 6.47×10-6
A10=-2.2×10-7
【００５４】
[第６面(r6)の非球面データ]
A4=-0.00436
A6= 1.3465×10-6
A8= 7.78×10-6
A10=-3.2×10-7
【００５５】
[第７面(r7)の非球面データ]
A4=-0.00806
A6= 0.00028396
A8= 2.44×10-5
A10=-1.1×10-6
【００５６】
[第８面(r8)の非球面データ]
A4=-0.00495
A6= 0.00018033
A8=-4.5×10-6
【００５７】
[第９面(r9)の非球面データ]
A4=-0.00088
A6=-2.088×10-5
A8=-6.1×10-6
A10= 1.06×10-8
【００５８】
[第１１面(r11)の非球面データ]
A4= 0.000763
A6=-4.062×10-5
A8=-9.6×10-7
A10= 3.36×10-8
【００５９】
[第１２面(r12)の非球面データ]
A4= 0.000675
A6= 9.9201×10-6
A8= 2.94×10-6
【００６０】
[第１３面(r13)の非球面データ]
A4= 0.001621
A6= 9.5672×10-5
A8= 2.95×10-6
【００６１】
[第２面(r2)の回折面データ]
C1=-0.00019
C2=-7.154×10-7
【００６２】
[第７面(r7)の回折面データ]
C1= 0.000379
C2= 5.4451×10-5
【００６３】
0003858443.tif 000006
【００６４】
[第１面(r1)の非球面データ]
A4= 0.009071
A6=-0.0001235
A8=-4.4×10-6
【００６５】
[第２面(r2)の非球面データ]
A4= 0.012871
A6= 0.00211106
A8= 9.85×10-5
【００６６】
[第３面(r3)の非球面データ]
A4=-0.00584
A6= 0.00141341
A8=-0.00014
【００６７】
[第４面(r4)の非球面データ]
A4= 0.036276
A6=-0.015181
A8= 0.002011
【００６８】
[第５面(r5)の非球面データ]
A4=-0.01326
A6= 0.0018055
A8=-0.00037
【００６９】
[第７面(r7)の非球面データ]
A4=-0.00695
A6=-0.0008778
A8= 0.000301
A10=-0.00013
【００７０】
[第８面(r8)の非球面データ]
A4=-0.01369
A6= 0.0051316
A8=-0.00021
【００７１】
[第９面(r9)の非球面データ]
A4= 0.000919
A6=-0.0003216
A8= 3.39×10-5
【００７２】
[第４面(r4)の回折面データ]
C1= 0.003039
C2=-0.0007736
【００７３】
[第８面(r8)の回折面データ]
C1=-0.00146
C2= 0.00030703
【００７４】
0003858443.tif 000007
【００７５】
[第３面(r3)の非球面データ]
A4= 0.006759
A6= 0.00076404
A8= 7.49×10-5
【００７６】
[第４面(r4)の非球面データ]
A4= 0.005799
A6=-0.0001718
A8=-1.8×10-5
【００７７】
[第６面(r6)の非球面データ]
A4= 0.002042
A6= 1.6469×10-6
A8= 2.4×10-6
【００７８】
[第５面(r5)の回折面データ]
C1=-0.00151
C2= 6.3854×10-5
【００７９】
0003858443.tif 000008
0003858443.tif 000009
【００８０】
[第１面(r1)の非球面データ]
A4=-5.5×10-6
A6= 2.1002×10-7
A8=-2.7×10-9
【００８１】
[第３面(r3)の非球面データ]
A4=-7.4×10-6
A6=-6.535×10-7
A8= 5.81×10-9
A10=-1.2×10-11
【００８２】
[第４面(r4)の非球面データ]
A4=-2.9×10-6
A6=-3.052×10-7
A8= 2.75×10-9
A10=-1.3×10-11
【００８３】
[第５面(r5)の非球面データ]
A4=-2.9×10-6
A6=-3.052×10-7
A8= 2.75×10-9
A10=-1.3×10-11
【００８４】
[第６面(r6)の非球面データ]
A4= 0.001166
A6=-0.0001044
A8= 3.19×10-6
A10=-3.6×10-8
【００８５】
[第７面(r7)の非球面データ]
A4= 0.00122
A6=-0.0001005
A8= 1.02×10-6
A10=-1.5×10-7
【００８６】
[第８面(r8)の非球面データ]
A4=-0.00184
A6= 9.1967×10-5
A8=-2.4×10-6
A10=-7.5×10-8
【００８７】
[第９面(r9)の非球面データ]
A4=-0.00184
A6= 9.1967×10-5
A8=-2.4×10-6
A10=-7.5×10-8
【００８８】
[第１０面(r10)の非球面データ]
A4=-0.00193
A6= 7.4375×10-5
A8=-3.6×10-6
【００８９】
[第１２面(r12)の非球面データ]
A4=-6×10-5
A6=-8.051×10-6
A8= 1.92×10-7
A10= 1.27×10-8
【００９０】
[第１３面(r13)の非球面データ]
A4= 0.000484
A6=-4.434×10-5
A8=-1.8×10-6
A10= 6.09×10-8
【００９１】
[第１４面(r14)の非球面データ]
A4= 0.000484
A6=-4.434×10-5
A8=-1.8×10-6
A10= 6.09×10-8
【００９２】
[第１５面(r15)の非球面データ]
A4= 0.000242
A6=-2.076×10-5
A8=-3.3×10-6
【００９３】
[第１６面(r16)の非球面データ]
A4= 0.001559
A6= 5.5353×10-5
A8= 2.83×10-6
【００９４】
[第４面(r4)の回折面データ]
C1=-0.0009
C2= 1.8993×10-6
【００９５】
[第９面(r9)の回折面データ]
C1= 0.005716
C2=-2.475×10-5
【００９６】
[第１３面(r13)の回折面データ]
C1=-0.00269
C2= 5.7229×10-5
【００９７】
図６は実施例１の収差図、図７は実施例２の収差図、図８は実施例３の収差図、図９は実施例４の収差図、図１０は比較例の収差図である。実施例１〜３及び比較例の収差図については、それぞれ広角端[Ｗ]，ミドル(中間焦点距離状態)[Ｍ]，望遠端[Ｔ]での諸収差を示している。各焦点距離状態での収差図は、左から順に、(Ａ)球面収差，(Ｂ)非点収差，(Ｃ)歪曲収差を表しており、破線はＣ線(波長:λC=656.3nm)に対する収差、実線はｄ線(波長:λd=587.6nm)に対する収差、一点鎖線はｇ線(波長:λg=435.8nm)に対する収差を表している。球面収差{横軸：近軸像面からの光軸方向のズレ量(mm)}の縦軸は、入射高さ(H)をその最大高さ(H0)で規格化した値(すなわち入射瞳平面を切る相対高さ)H/H0を表しており、非点収差{横軸：近軸像面からの光軸方向のズレ量(mm)}及び歪曲収差{横軸(％)}の縦軸は像高Y'(mm)を表している。また、実線Xはサジタル面での非点収差を表しており、実線Yはメリディオナル面での非点収差を表している。
【００９８】
表１に、各実施例に用いられている回折格子の回折格子高さ(h0)及び最小格子間隔(dmin)を、最小格子間隔(dmin)でのブレーズ頂角(Θ)と併せて示す。実施例１〜４では、回折レンズによる色収差補正と、回折作用とは逆符号のパワーを有する屈折レンズによる色収差補正と、を組み合わせて行うことにより、回折作用を小さくしている。このため、最小格子間隔(dmin)は比較的大きくなっており、またブレーズ頂角(Θ)も大きくなっている。これに対して比較例では、回折レンズによる色収差補正の割合が大きくなっているため、回折作用を大きくする必要から回折格子の最小格子間隔(dmin)が比較的小さくなっており、またブレーズ頂角(Θ)も小さくなっている。
【００９９】
【表１】
0003858443.tif 000010
【０１００】
表２に、回折レンズによる色収差補正の度合いと、回折作用とは逆符号のパワーを有する屈折レンズによる色収差補正の度合いと、を示す。屈折レンズの(φp／νd)と回折レンズの(φDOE／νDOE)との比{すなわち条件式(1)の対応値}が大きいほど、屈折レンズによる色収差補正の度合いが大きいので、実施例１は比較例に比べて屈折レンズの色収差補正の度合いが大きいことが分かる。そのため、両者の球面収差を比較すると、ｇ線(436nm)又はＣ線(656nm)の球面収差量は実施例１の方が小さい(すなわち２次の色スペクトルが小さい)ことが分かる。
【０１０１】
【表２】
0003858443.tif 000011
【０１０２】
表３に、回折格子を有する接合レンズの、回折レンズとは逆符号のパワーを有する屈折レンズの軸上面間隔と、回折レンズと同じ符号のパワーを有する屈折レンズの軸上面間隔と、の比を示す。この比{すなわち条件式(2)の対応値}が適当であれば、回折レンズによる色収差補正の度合いと、回折作用とは逆符号のパワーを有する屈折レンズの色収差補正の度合いと、のバランスが、２次の色スペクトル及び色収差以外の収差の点で良好となる。実施例２と比較例とを比較すると、両者の収差性能はほぼ同等であるが、実施例２のレンズ構成枚数が比較例に比べて減少していることが分かる。
【０１０３】
【表３】
0003858443.tif 000012
【０１０４】
【発明の効果】
以上説明したように第１又は第２の発明によれば、広い波長域で回折効率を高くする回折レンズを効果的に用いて、色収差を良好に補正したレンズ光学系を実現することができる。また、第１又は第２の発明によれば、製造容易な回折レンズを用いて、色収差及び２次の色スペクトルが良好なレンズ光学系を実現することができる。
【図面の簡単な説明】
【図１】第１の実施の形態(実施例１)のレンズ構成図。
【図２】第２の実施の形態(実施例２)のレンズ構成図。
【図３】第３の実施の形態(実施例３)のレンズ構成図。
【図４】第４の実施の形態(実施例４)のレンズ構成図。
【図５】比較例のレンズ構成図。
【図６】実施例１の収差図。
【図７】実施例２の収差図。
【図８】実施例３の収差図。
【図９】実施例４の収差図。
【図１０】比較例の収差図。
【図１１】ブレーズ形状を説明するための図。
【符号の説明】
Gr1 …第１群
Gr2 …第２群
Gr3 …第３群
LPF …ローパスフィルター
【図１】
0003858443.tif 000013
【図２】
0003858443.tif 000014
【図３】
0003858443.tif 000015
【図４】
0003858443.tif 000016
【図５】
0003858443.tif 000017
【図６】
0003858443.tif 000018
【図７】
0003858443.tif 000019
【図８】
0003858443.tif 000020
【図９】
0003858443.tif 000021
【図１０】
0003858443.tif 000022
【図１１】
0003858443.tif 000023